(57)【要約】【課題】安定同位体の含有比率を天然同位体比率と異なる値に制御した物質を識別材料として用いる識別標識について、識別材料の有無を標識の色変化または濃淡変化により簡易に識別し、物品の真贋判定ができるようにする。【解決手段】安定同位体含有比率を天然の値と異なる値に制御した物質からなる識別材料を用いた識別標識であって、識別材料に対して、識別材料への光照射による識別材料の昇温により色変化または濃淡変化をすることで識別材料の存在を確認するための標識を配置してなることを特徴とする物品の真贋を識別するための識別標識、および、本識別標識による物品識別方法。【選択図】図５
2005025446.tif 000002
【特許請求の範囲】
【請求項１】
安定同位体含有比率を天然の値と異なる値に制御した物質からなる識別材料を用いた識別標識であって、識別材料に対して、識別材料への光照射による識別材料の昇温により色変化または濃淡変化をすることで識別材料の存在を確認するための標識を配置してなることを特徴とする物品の真贋を識別するための識別標識。
【請求項２】
請求項１に記載の識別標識において、前記標識が示温インキであることを特徴とする物品の真贋を識別するための識別標識。
【請求項３】
安定同位体含有比率を天然の値と異なる値に制御した物質からなる識別材料に対して、識別材料への光照射による識別材料の昇温により色変化または濃淡変化をすることで識別材料の存在を確認するための標識を配置してなる識別標識を用いて物品の真贋を識別する方法であって、識別材料に対して、識別材料が強く吸収し、識別材料と同じ物質で且つ安定同位体含有比率が天然の値の物質である非識別材料が強く吸収しない特定波長（λ２）を含む光を照射して標識の色変化または濃淡変化を観察することにより物品の真贋を識別することを特徴とする物品識別方法。
【請求項４】
請求項３に記載の物品識別方法において、前記標識の色変化または濃淡変化を観察して物品の真贋を識別するのに加え、前記識別材料を機械認識することにより物品の真贋を識別することを特徴とする物品識別方法。
【請求項５】
請求項３または４に記載の物品識別方法において、前記識別材料が強く吸収し、前記識別材料と同じ物質で且つ安定同位体含有比率が天然の値の物質である非識別材料が強く吸収しない特定波長（λ２）を含む光が、前記識別材料と同じ物質で且つ安定同位体含有比率が天然の値の物質である非識別材料の層を有するフィルターを通した光であることを特徴とする物品識別方法。
【請求項６】
安定同位体含有比率を天然の値と異なる値に制御した物質からなる識別材料に対して、識別材料への光照射による識別材料の昇温により色変化または濃淡変化をすることで識別材料の存在を確認するための標識を配置してなる識別標識を用いて物品の真贋を識別する方法であって、識別材料が強く吸収し、識別材料と同じ物質で且つ安定同位体含有比率が天然の値の物質である非識別材料が強く吸収しない特定波長（λ２）の光を識別材料へ照射して標識が色変化または濃淡変化することを観察するのに加え、識別材料が強く吸収せず、識別材料と同じ物質で且つ安定同位体含有比率が天然の値の物質である非識別材料が強く吸収する特定波長（λ１）を含む光を識別材料へ照射して、識別材料が温度上昇せず、標識が色変化または濃淡変化をしないことを観察することにより物品の真贋を識別することを特徴とする物品識別方法。
【請求項７】
請求項６に記載の物品識別方法において、前記特定波長（λ２）を含む光が識別材料と同じ物質で且つ安定同位体含有比率が天然の値の物質である非識別材料の層を有するフィルターを通した光であり、前記特定波長（λ１）を含む光が識別材料の層を有するフィルターを通した光であることを特徴とする物品識別方法。
【請求項８】
安定同位体含有比率を天然の値と異なる値に制御した物質からなる識別材料及び識別材料と同じ物質で且つ安定同位体含有比率が天然の値の物質からなる非識別材料を用いた識別標識であって、識別材料及び非識別材料に対して、識別材料と非識別材料の熱伝導率の違いにより識別材料の存在を確認するための標識を配置してなることを特徴とする物品の真贋を識別するための識別標識。
【請求項９】
請求項８に記載の識別標識において、識別材料が１３Ｃの含有比率を天然の値と異なる値に制御したダイヤモンドまたは２８Ｓｉの含有比率を天然の値と異なる値に制御したシリコンであることを特徴とする物品の真贋を識別するための識別標識。
【請求項１０】
安定同位体含有比率を天然の値と異なる値に制御した物質からなる識別材料及び識別材料と同じ物質で且つ安定同位体含有比率が天然の値の物質からなる非識別材料に対して、識別材料の存在を識別材料と非識別材料の熱伝導率の違いにより確認するための標識を配置してなる識別標識を用いて物品の真贋を識別する方法であって、識別材料及び非識別材料に対して熱エネルギーを付与して識別材料と非識別材料の熱伝導率の違いによる標識の色変化または濃淡変化を観察することにより物品の真贋を識別することを特徴とする物品識別方法。
【請求項１１】
請求項１０に記載の物品識別方法において、識別材料及び非識別材料に対して熱エネルギーを付与して識別材料と非識別材料の熱伝導率の違いによる標識の色変化または濃淡変化を観察するのに加え、識別材料を機械認識することにより物品の真贋を識別することを特徴とする物品識別方法。
【発明の詳細な説明】
【０００１】
【産業上の利用分野】
本発明は、識別標識及び物品識別方法に関し、より詳しくは識別標識を構成する識別材料の昇温現象による色変化または濃淡変化により物品の真贋を簡易に識別できる識別標識及びこれを利用する物品識別方法に関する。
【０００２】
【従来の技術】
本発明者らは、視覚その他の知覚認識による簡易な真贋判定と機械認識による精密な真贋判定との両方に対応できる識別標識を先に開発している（特開２００３−２５７７５）。この識別標識は、物質を構成する元素のうち安定同位体の含有比率を天然のものと異なるように制御した物質を識別材料として用い、知覚認識による簡易な真贋判定と機械認識による精密な真贋判定との両方に対応できるようにしたものである。これにより、知覚認識と機械認識との両方により簡易且つ精密に物品の真贋判定を行うことができる。
【０００３】
この識別標識における知覚認識による真贋判定は、透かし、穿孔、エンボス、凹版印刷、シースルーレジスタ、あるいはプランシェットなどを例えば目視により認識して行われる。しかし、これら知覚認識の対象は識別材料の構成材料が安定同位体の含有比率を天然のものと異なるように制御した物質であるか否かとは無関係であるため、知覚認識のみで正確な真贋判定を行うことはできない。すなわち、識別材料の構成材料が安定同位体の含有比率を天然のものと異なるように制御した物質であるか否かは赤外線吸収法やラマン分光法などの機械認識による精密な真贋判定を行うことが必須であった。
【０００４】
【特許文献１】特開２００３−２５７７５号公報
【０００５】
図１は、それらのうち、基材すなわち物品に付与した透かしの薄肉部分に安定同位体の含有比率を天然同位体比率と異なる値に制御してなる物質を含む半透明インキを付与した例を示す図である。図１のような識別標識の場合、その知覚認識は、物品の片面に光を当てて、他面から薄肉部の透過率が高いことを目視で確認し、透かしを有することを知覚することにより行われる。
【０００６】
しかし、この方法では、安定同位体の含有比率を天然同位体比率と異なる値に制御していない物質を含む半透明インキを付与した透かしを有する場合にも、同様な結果が得られる。このため、知覚認識に加え、安定同位体の含有比率を天然同位体比率と異なる値に制御した物質を含む半透明インキを用いているか否かまでを調べるためには、別途赤外線吸収法やラマン分光法などによる機械認識を行う必要があった。このように、特開２００３−２５７７５の識別標識は、それ自体偽造防止用、真贋判定用として有効であるが、上記の点でさらに改良が必要である。
【０００７】
【発明が解決しようとする課題】
本発明は、特開２００３−２５７７５に記載のような識別標識に関する以上のような問題を解決するためになされたものであり、安定同位体の含有比率を天然同位体比率と異なる値に制御した物質を識別材料として用いる識別標識について、店頭などで、識別材料の有無を昇温現象による色変化または濃淡変化により簡易に真贋判定を行うことができる物品識別用標識及びこれを利用して物品を識別する方法を提供することを目的とする。
【０００８】
【課題を解決するための手段】
本発明は（１）安定同位体含有比率を天然の値と異なる値に制御した物質からなる識別材料を用いた識別標識であって、識別材料に対して、識別材料への光照射による識別材料の昇温により色変化または濃淡変化をすることで識別材料の存在を確認するための標識を配置してなることを特徴とする物品の真贋を識別するための識別標識を提供する。
【０００９】
本発明は（２）安定同位体含有比率を天然の値と異なる値に制御した物質からなる識別材料に対して、識別材料への光照射による識別材料の昇温により色変化または濃淡変化をすることで識別材料の存在を確認するための標識を配置してなる識別標識を用いて物品の真贋を識別する方法であって、識別材料に対して、識別材料が強く吸収し、識別材料と同じ物質で且つ安定同位体含有比率が天然の値の物質である非識別材料が強く吸収しない特定波長（λ２）を含む光を照射して標識の色変化または濃淡変化を観察することにより物品の真贋を識別することを特徴とする物品識別方法を提供する。
【００１０】
本発明は（３）安定同位体含有比率を天然の値と異なる値に制御した物質からなる識別材料に対して、識別材料への光照射による識別材料の昇温により色変化または濃淡変化をすることで識別材料の存在を確認するための標識を配置してなる識別標識を用いて物品の真贋を識別する方法であって、識別材料に対して識別材料が強く吸収する特定波長（λ２）の光を照射して標識が色変化または濃淡変化することを観察するのに加え、識別材料が強く吸収せず、識別材料と同じ物質で且つ安定同位体含有比率が天然の値の物質である非識別材料が強く吸収する特定波長（λ１）を含む光を照射して、識別材料が温度上昇せず、標識が色変化または濃淡変化をしないことを観察することにより物品の真贋を識別することを特徴とする物品識別方法を提供する。
【００１１】
本発明は（４）安定同位体含有比率を天然の値と異なる値に制御した物質からなる識別材料及び識別材料と同じ物質で且つ安定同位体含有比率が天然の値の物質からなる非識別材料を用いた識別標識であって、識別材料及び非識別材料に対して、識別材料の存在を識別材料と非識別材料の熱伝導率の違いにより確認するための標識を配置してなることを特徴とする物品の真贋を識別するための識別標識を提供する。
【００１２】
本発明は（５）安定同位体含有比率を天然の値と異なる値に制御した物質からなる識別材料及び識別材料と同じ物質で且つ安定同位体含有比率が天然の値の物質からなる非識別材料に対して、識別材料の存在を識別材料と非識別材料の熱伝導率の違いにより確認するための標識を配置してなる識別標識を用いて物品の真贋を識別する方法であって、識別材料及び非識別材料に対して熱エネルギーを付与して識別材料と非識別材料の熱伝導率の違いによる標識の色変化または濃淡変化を観察することにより物品の真贋を識別することを特徴とする物品識別方法を提供する。
【００１３】
【発明の実施の形態】
〈本発明（１）−（３）の態様〉
本発明（１）は、物品の真贋を識別するための識別標識であり、安定同位体含有比率を天然の値と異なる値に制御した物質からなる識別材料を用いた識別標識である。そして、識別材料に対して、識別材料への光照射による識別材料の昇温により色変化または濃淡変化をすることで識別材料の存在を確認するための標識を配置してなることを特徴とする。すなわち、本識別標識は識別材料に対して標識を配置して構成される。識別材料は光照射により昇温し、標識は識別材料の昇温により色変化または濃淡変化をする（色が変化するか、濃淡が変化する）ので、その変化を観察することで識別材料の存在を確認する。
【００１４】
本発明（２）は、本発明（１）の識別標識を用いて物品の真贋を識別する方法であり、識別材料が強く吸収する特定波長（λ２）の光を識別材料に対して照射して標識の色変化または濃淡変化を観察することにより物品の真贋を識別することを特徴とする。すなわち、識別材料に対して特定波長（λ２）の光を照射すると識別材料が昇温し、この昇温により標識の色が変化するか、濃淡が変化する。そこで、その色変化または濃淡変化を目視により観察することにより、識別材料の存在を確認する。
【００１５】
本発明（３）においては、上記のとおり、識別材料が強く吸収する特定波長（λ２）の光を識別材料に対して照射して標識の色変化または濃淡変化を観察するのに加え、識別材料が強く吸収せず、識別材料と同じ物質で且つ安定同位体含有比率が天然の値である非識別材料が強く吸収する特定波長（λ１）を含む光を照射し、識別材料が温度上昇せず、標識が色変化または濃淡変化をしないことを観察することにより物品の真贋を識別することを特徴とする。このように、本発明（３）によれば、照射光の波長を変えるだけで識別材料の有無を二重に観察できるので、物品の真贋の識別をより確実に行うことができる。
【００１６】
本識別標識は、より具体的な構成態様として、基材上に、識別材料の層を配置し、そして識別材料の一部に、温度上昇により色が変わるか、濃淡が変化する示温インキを標識として付与することで構成される。基材の形状、またこれに配置する識別材料層の形状には、特に限定はなく、円形状、多角形状、半円形状その他適宜の形状とすることができる。
【００１７】
ここで、識別材料として用いる安定同位体含有比率を天然の値と異なる値に制御した物質としては、水素、炭素、窒素及び酸素から選ばれた少なくとも一つを含み、その安定同位体比率を天然の値と異なる値に制御してなる物質を用いる。その例としては、尿素、ギ酸ナトリウム、炭酸水素ナトリウム、炭酸ナトリウム、酢酸ナトリウムなどを挙げることができる。これらは一種とは限らず、二種以上を併用して用いることができる。
【００１８】
そのように、識別材料は、その材料を構成する元素のうち少なくとも一種の元素の安定同位体含有比率を天然の値と異なる値に制御してなる物質からなる。本明細書中、識別材料とはこの意味であり、例えば尿素の場合、その構成元素である炭素、酸素、窒素及び水素のうちの少なくとも一種の元素の安定同位体含有比率を天然の値と異なる値に制御してなる尿素を意味する。また、本明細書中、非識別材料とは、識別材料と物質としては同じで且つその安定同位体含有比率が天然の値である物質の意味であり、例えば識別材料が上記尿素の場合、その構成元素である炭素、酸素、窒素及び水素の安定同位体含有比率が天然の値である尿素を意味する。
【００１９】
示温インキとは、温度により色または濃淡が変化することを目視により観察でき、確認できるインキや塗料の総称であり、これには例えばコレステロールの高級脂肪酸エステルなど、結晶配列が変わると色が変わって見えるサーモクロミック物質をマイクロカプセルの形態で含むサーモクロミックインキも含まれる。示温インキは、識別標識を付与した物品の流通過程などで繰り返し何度も利用できることが望ましいことから、可逆性のものが好適に用いられる。
【００２０】
識別材料は、同位体効果により、物質としては識別材料と同じで且つ安定同位体含有比率が天然の値である物質からなる材料すなわち非識別材料に対して、光吸収スペクトルのピーク値に違いを生じる。図２はこの現象を説明する図である。ある波長λ１の光に対しては非識別材料のみが強い吸収を起こし、他の波長λ２の光に対しては識別材料のみが強い吸収を起こす。この非識別材料と識別材料を併置して、両者に波長λ１の光を照射すると、非識別材料のみが光エネルギーを吸収して昇温し、非識別材料側に付与された示温インキのみが色または濃淡を変える。
【００２１】
次に、常温に戻した後、同じく非識別材料と識別材料の両者に対して波長λ２の光を照射すると、今度は識別材料のみが光エネルギーを吸収して昇温し、識別材料側に付与された示温インキのみが色または濃淡を変える。このように、波長λ１、λ２の光源を用いて照射し、示温インキの色変化または濃淡変化の有無を観察するだけで識別材料の有無を簡易に確認し、識別材料を付与した物品の真贋を識別することができる。
【００２２】
照射光としては、ランプ等の赤外光を含む光源からの光をフィルターに透過させた光やレーザー光などを用いることができる。フィルターとしては、バンドパスフィルターや音響光学フィルターのほか、識別材料（安定同位体含有比率を制御した物質からなる材料）や非識別材料（物質としては識別材料と同じであるが、安定同位体含有比率が天然の値である材料）を用いたフィルターを用いることもできる。図３〜４は当該フィルターの態様を説明する図で、図３は識別材料を用いたフィルターの場合、図４は非識別材料を用いたフィルターの場合である。
【００２３】
図３（ｂ）のとおり、光源からの光のうち、識別材料が波長λ２、λ３、λ４の光を吸収するとすると、識別材料を透過した光は波長λ２、λ３、λ４の光を含まない光となる。そこで、石英などの光透過率の高い材料に識別材料の層を付与するか、または石英などで識別材料を挟持したものをフィルターとして用いると、その透過率は図３（ｃ）のようになり、波長λ２、λ３、λ４の光が遮断される。そこで、このフィルターを透過した光を識別材料に照射すると、（その透過光には波長λ２、λ３、λ４の光は無いので）それら波長の光は識別材料に吸収されず、識別材料の温度は上昇しない。一方、このフィルターを透過した光を非識別材料へ照射すると、波長λ１の光は遮断されずに透過しているので、非識別材料に吸収され、非識別材料の温度は上昇する。
【００２４】
ここで、波長λ１の吸収ピークは非識別材料における天然存在比の元素、例えば炭素に起因する吸収光ピークであり、波長λ２の吸収ピークは識別材料における同位体含有比率を制御した元素、例えば１３Ｃを主成分とする炭素に起因する吸収ピークである。また、波長λ３、λ４の吸収ピークは非識別材料及び識別材料に共通して含まれる元素、例えば天然存在比の水素や酸素に起因する吸収ピークである。
【００２５】
次に、図４（ｂ）のとおり、光源からの光のうち、非識別材料が波長λ１、λ３、λ４の光を吸収するとすると、非識別材料を透過した光は波長λ１、λ３、λ４の光を含まない光となる。そこで、石英などの光透過率の高い材料に非識別材料の層を付与するか、または石英などで識別材料を挟持したものをフィルターとして用いると、その透過率は図４（ｃ）のようになり、波長λ１、λ３、λ４の光が遮断され、波長λ２の光は透過する。そこで、このフィルターを透過した光を識別材料に照射すると、波長λ２の光が識別材料に吸収され、識別材料の温度が上昇して示温インキの色または濃淡が変化する。一方、このフィルターを透過した光を非識別材料へ照射しても、波長λ１、λ３、λ４の光が遮断されているので、非識別材料には吸収されず、非識別材料の温度は上昇しない。
【００２６】
このように、非識別材料を用いたフィルターによれば、波長λ１、λ３、λ４の赤外光を含まず、波長λ２の赤外光を含む光を確実に得ることができ、また、識別材料を用いたフィルターによれば、波長λ２、λ３、λ４の赤外光を含まず、波長λ１の赤外光を含む光を確実に得ることができる。このため、それらフィルターを透過して得られる光は、本発明（２）で用いる波長（λ２）の光としてはもちろん、本発明（３）で用いる波長（λ２）の光及び波長（λ１）の光としても非常に有用である。
【００２７】
すなわち、波長λ２の光のみで確認する場合、識別材料に代えて波長λ２の周辺に広い吸収ピークを持つ物質を探して用いるという偽造が成立するが、本発明（３）のように、波長λ２の光で温度上昇を確認し、波長λ１の光で温度上昇しないことを確認することにより、その偽造物質は識別材料と明確に区別される。この場合、識別材料と同等の結果を与えるのは、波長λ２に強い吸収ピークを持ち且つ波長λ１に強い吸収ピークを持たない物質であり、このような偽造用物質を探すのはより困難となる。さらに、波長λ２の光を含む光として非識別材料を用いたフィルターを通過した光を用い、波長λ１の光を含む光として識別材料を用いたフィルターを通過した光を用いることにより、識別材料と同等の結果を与える物質の条件として、波長λ３、λ４以外に吸収ピークを持たないことが加わることから、偽造はほぼ不可能となる。
【００２８】
以上のとおり、本発明（１）−（３）によれば、示温インキの色変化または濃淡変化の有無を観察するだけで識別材料を用いているか否かを知り、物品の真贋を識別できるが、これに加えて示温インキの色変化または濃淡変化による識別と併せて赤外吸収法やラマン分光法による機械認識による識別を行ってもよい。これにより物品の真贋判定をさらに確実に行うことができる。このように、本発明によれば、識別材料が安定同位体の含有比率を天然同位体比率と異なる値に制御した物質であるので偽造困難である上に、色変化または濃淡変化により簡易に識別でき、さらに機械認識による識別も行えるので、これらの特性を併せもつ実用性の高い識別標識とすることができる。
【００２９】
〈本発明（４）−（５）の態様〉
本発明（４）は、物品の真贋を識別するための識別標識であり、識別材料（すなわち安定同位体含有比率を天然の値と異なる値に制御してなる物質からなる材料）と非識別材料（すなわち物質としては識別材料と同じで且つ安定同位体含有比率が天然の値である物質からなる材料）を用いる。そして、識別材料及び非識別材料に対して、識別材料の存在を熱伝導率の違いにより確認するための標識を配置してなることを特徴とする。識別材料と非識別材料とは、同一物質ではあるが、安定同位体の含有比率が異なることに起因して熱伝導率が異なるので、本発明ではこの特性を利用するものである。すなわち、識別材料及び非識別材料に熱エネルギーを付与して加熱し、熱伝導率の差を利用して標識の色変化または濃淡変化を目視により観察することにより、物品の真贋を識別する。
【００３０】
識別標識の構成態様としては、基材上に、識別材料の層と非識別材料の層を併置する。そして、識別材料及び非識別材料のそれぞれの一部に、熱エネルギー（冷熱を含む）の付与による温度変化により色または濃淡が変わる示温インキを標識として付与することで構成される。基材の形状、またこれに配置する識別材料層及び非識別材料層の形状には、特に限定はなく、円形状、多角形状、半円形状その他適宜の形状とすることができる。識別材料と非識別材料に熱源を接触させると、識別材料と非識別材料との熱伝導率の差異を反映して、示温インキの色または濃淡が変わるまでの時間が異なる。これにより、識別材料が用いられているか否かを、簡易に認識し、識別することができる。
【００３１】
識別材料としては、安定同位体含有比率を天然の値と異なる値に制御することで、その熱伝導率が非識別材料の熱伝導率と異なる物質であればいずれも使用されるが、その好ましい例としては安定同位体含有比率を天然の値と異なる値に制御したダイヤモンドやシリコンなどを挙げることができる。
【００３２】
ダイヤモンドは、１２Ｃの含有率が多いと（すなわち１３Ｃの含有率が少ないと）熱伝導率が大きくなり、例えば１２Ｃの含有比率を９９．９％に増加させた（すなわち１３Ｃの含有率を０．１％に減じた）ダイヤモンド薄膜の熱伝導率は、天然同位体比（１３Ｃの含有率＝１．１％）のダイヤモンド薄膜の熱伝導率よりも約４０％大きな値となる。また、２８Ｓｉの含有比率を９９．７％に増加させたシリコン薄膜の熱伝導率は、天然同位体比（２８Ｓｉの含有率＝９２．２％）のシリコン薄膜の熱伝導率よりも約６０％大きな値となる。本発明においては、識別材料としてそのようなダイヤモンドやシリコンを用い、その特性を利用する。
【００３３】
識別材料と非識別材料とは、安定同位体の含有比率が異なる以外は同一物質であり、同位体効果により、熱伝導率に違いを生じる。熱エネルギーを上記のような物質で構成した識別材料及び非識別材料に同時に付与すると、識別材料の熱伝導率が大きいので、識別材料層に配置した標識すなわち示温インキの方がより速く温度変化を起こして変色し、非識別材料層に配置した標識すなわち示温インキは変色しないので、識別材料が用いられているか否かを簡易に認識することができる。これにより、示温インキの色変化の有無を観察するだけで識別標識を付与した物品の真贋を識別することができる。なお、識別材料と非識別材料との熱伝導率の違いが大きくない場合には、識別材料層、非識別材料層のどちらに配置した示温インキも色変化するが、熱エネルギーを付与してから色変化が起こるまでの時間に差が生じるので、標識の色変化が起こる過程を観察することで識別することができる。この点、色変化でなく濃淡変化が起こる場合も同様である。
【００３４】
熱エネルギーの熱源としては、電池駆動ヒーター、光を絞った光源、レーザー、指などの人体の一部などを用いることができる。熱源の温度は示温インキの変色温度以上とする。冷却する場合には電子冷却器などが用いられる。
【００３５】
以上のとおり、本発明（４）−（５）によれば、示温インキの色変化または濃淡変化の有無を観察するだけで物品の真贋を識別できるが、識別標識の識別材料は安定同位体の含有比率を天然同位体比率と異なる値に制御した物質であるので、色変化または濃淡変化による識別と併せて、赤外吸収法やラマン分光法による機械認識よる識別を行ってもよい。これにより本識別標識が付与された物品の真贋判定をより確実に行うことができる。このように、本発明によれば、識別材料が安定同位体の含有比率を天然同位体比率と異なる値に制御した物質であるので偽造困難であり、それを色変化または濃淡変化により簡易に識別できるのに加え、機械認識による識別も行えるので、それらの特性を併せもつ実用性の高い識別標識とすることができる。
【００３６】
識別材料を構成する同位体含有比率を天然同位体比率と異なる値に制御してなる物質としては、同位体含有比率を天然同位体比率と異なる値に制御してなる物質であれば用いられるが、好ましくは炭素、窒素、酸素及び水素から選ばれた少なくとも一種の元素を含む物質が用いられる。そして、それら炭素、窒素、酸素及び水素のうちの少なくとも一種の元素についてその安定同位体の含有比率を天然同位体比率と異なる値に制御してなる物質を用いる。
【００３７】
本発明の識別標識は各種材料からなる基材に対して付与される。すなわち、基材としての、硬質紙、その他の各種紙類や各種プラスチック、例えばアクリル樹脂、ポリエステル樹脂、ポリオレフィン（ポリ塩化ビニル等を含む）樹脂、ポリアミド樹脂、ポリウレタン樹脂、ポリカーボネート樹脂等の合成樹脂、またアルミニウム、アルミニウム合金などの金属に対して識別標識を付与する。基材は、以下に述べる真贋を識別する物品そのものでもよい。特に以下で述べる（ｅ）シート類や（ｆ）カード類ではそれらと同様の材料が用いられるので、シート類やカード類に対して識別標識（すなわち識別材料に対して標識を配置して構成されている）を直かに付与することができる。
【００３８】
識別標識を付与する物品としては、識別標識の付与が必要な物品であれば限定はなく、その例としては、以下目的別あるいは形状別等相互に重複する例もあるが、下記（ａ）〜（ｆ）のような例を挙げることができる。
（ａ）ブランド品として鞄、靴、財布、装飾品、衣類、時計、指輪、ネックレスなど。（ｂ）著作権保護対象物としてＣＤ、光ディスク、コンピュータソフトなど。（ｃ）宝石類、貴金属等として硬貨、貴金属塊、社員章、タグ、絵画、美術品、著名人の使用品、医薬品など。（ｄ）金券として紙幣、印紙、切手、商品券、債券、株券、手形、小切手、証券、図書券など。（ｅ）シート類として旅券（パスポート）、各種免許証、身分証明書、名刺、スポーツ等の観戦用チケット、観劇等用チケット、処方箋、診断書、検査票、公文書など。（ｆ）カード類としてクレジットカード、テレホンカード、鉄道やバス等の交通機関で使用される乗車券又は乗車カード、ハイウェイカード、パチンコカードその他の各種機能、機構を組み込んだカード類など。
【００３９】
このうち、上記（ｅ）のシート類自体の材質には限定はなく、通常硬質紙その他各種紙類が使用され、プラスチックも使用される。また、上記（ｆ）のカード類自体の材質には限定はなく、アクリル樹脂、ポリエステル樹脂、ポリオレフィン（ポリ塩化ビニル等を含む）樹脂、ポリアミド樹脂、ポリウレタン樹脂、ポリカーボネート樹脂等の合成樹脂（プラスチック）のほか、アルミニウム（合金を含む）などの金属や紙類などの各種材料が使用される。
【００４０】
【実施例】
以下、実施例に基づき本発明をさらに詳しく説明するが、本発明が実施例に限定されないことはもちろんである。
【００４１】
〈実施例１〉
図５〜６は、光照射により物品の真贋判定をする識別標識及びこれを用いる識別方法の例を示す図である。図５（ａ）は断面図、図５（ｂ）は平面図で、図５（ａ）より縮小して示している。ポリ塩化ビニル基材上に、識別材料として炭素の安定同位体１３Ｃの含有比率を９９％に制御したギ酸ナトリウム〔ＨＣＯＯＮａ（１３Ｃ＝９９％）〕を配置し、識別材料の周縁上面に温度上昇により色が変わる示温インキを付与して構成している。そして、図５（ａ）中、矢印（↓）で示すように光を照射する。光源としてランプからの赤外光を含む光を用い、可視光をカットするフィルターを通して赤外光とし、これを石英板の間に炭素が天然存在比のギ酸ナトリウム〔ＨＣＯＯＮａ（１３Ｃ＝１．１％）〕を挟んだフィルターを通して照射する。すると、識別材料が加温されて示温インキの色が変わるので、示温インキの色変化の有無を観察するだけで識別材料の有無を識別することができる。図６はこの状態を示している。これにより本識別標識を例えばＣＤに付与した場合、その真贋を簡易に判定することができる。
【００４２】
〈実施例２〉
図７〜９は、同じく、光照射により物品の真贋判定をする識別標識及びこれを用いる識別方法の例を示す図である。図７（ａ）は断面図、図７（ｂ）は平面図で、図７（ａ）より縮小して示している。ポリ塩化ビニル基材上に、識別材料として炭素の安定同位体１３Ｃの含有比率を９９％に制御したギ酸ナトリウム〔ＨＣＯＯＮａ（１３Ｃ＝９９％）〕と、非識別材料として炭素が天然存在比のギ酸ナトリウム〔ＨＣＯＯＮａ（１３Ｃ＝１．１％）〕を併置し、識別材料及び非識別材料のそれぞれの周縁上面に温度上昇により色が変わる示温インキを付与している。
【００４３】
図７（ａ）中、矢印（↓）で示すように光源からの光を照射する。光源としてランプからの赤外光を含む光を用い、可視光をカットするフィルターを通して赤外光とし、これを石英板の間に炭素が天然存在比のギ酸ナトリウム〔ＨＣＯＯＮａ（１３Ｃ＝１．１％）〕を挟んだフィルターを通して赤外光を照射する。すると、識別材料のみが加温され、図８に示すように、識別材料の面に配置された示温インキのみが色を変える。続いて、上記と同様にして、石英板の間に１３Ｃの含有比率を９９％に制御したギ酸ナトリウム〔ＨＣＯＯＮａ（１３Ｃ＝９９％）〕を挟んだフィルターを通して赤外光を照射すると、今度は非識別材料のみが加温され、図９に示すように、非識別材料の面に配置された示温インキのみが色を変える。これにより機械認識による判別を行うことなく、示温インキの色変化の有無を観察するだけで識別材料の有無を識別することができ、本識別標識を物品に付与した場合、その真贋を簡易に判定することができる。なお、本実施例２と同様な方法を用いて、安定同位体含有比率が天然の値である物質の有無も、示温インキを利用して目視で確認することが可能である。ただし、このような物質は入手容易なので偽造が容易であり、確実な識別には不向きである。
【００４４】
〈実施例３〉
図１０〜１１は、熱エネルギーにより真贋判定をする識別標識及びこれを用いる識別方法の例を示す図である。図１０（ａ）は断面図、図１０（ｂ）は平面図で、図１０（ａ）より縮小して示している。ポリ塩化ビニル基材上に、識別材料として１２Ｃの含有比率を９９．９％に増加させたダイヤモンド（天然同位体比のダイヤモンドより熱伝導率が４０％大きい）と、非識別材料として天然存在比のダイヤモンドを配置し、識別材料及び非識別材料のそれぞれの周縁上面に温度上昇により色が変わる示温インキを付与している。
【００４５】
図１０（ａ）中、熱源とした部分に電池駆動型ヒーターを当接して加温する。すると、熱伝導率の差により、非識別材料に比べて、識別材料の方が早めに加温され、図１１に示すように、識別材料の面に配置された示温インキのみが色を変える。これにより機械認識による判別を行うことなく、示温インキの色変化の有無を観察するだけで識別材料の有無を識別することができる。これにより本識別標識を物品に付与した場合、その真贋を簡易に判定することができる。
【００４６】
【発明の効果】
本発明によれば、安定同位体の含有比率を天然同位体比率と異なる値に制御した物質を識別材料として用いた識別標識によって、店頭などで、識別材料に配置した標識の色変化または濃淡変化により簡易に識別材料の有無を識別し、物品の真贋判定を行うことができる。
【図面の簡単な説明】
【図１】透かしの薄肉部分に安定同位体の含有比率を天然同位体比率と異なる値に制御してなる物質を含む半透明インキを付与した例を示す図（先行技術）
【図２】安定同位体の含有比率が異なる以外は同一物質である識別材料と非識別材料とが、同位体効果により、光吸収強度スペクトルのピーク値に違いを生じる状態を説明する図
【図３】識別材料を用いたフィルターを用いる態様を説明する図
【図４】非識別材料を用いたフィルターを用いる態様を説明する図
【図５】実施例１を示す図
【図６】実施例１を示す図
【図７】実施例２を示す図
【図８】実施例２を示す図
【図９】実施例２を示す図
【図１０】実施例３を示す図
【図１１】実施例３を示す図
【図１】
2005025446.tif 000003
【図２】
2005025446.tif 000004
【図３】
2005025446.tif 000005
【図４】
2005025446.tif 000006
【図５】
2005025446.tif 000007
【図６】
2005025446.tif 000008
【図７】
2005025446.tif 000009
【図８】
2005025446.tif 000010
【図９】
2005025446.tif 000011
【図１０】
2005025446.tif 000012
【図１１】
2005025446.tif 000013